(57)【要約】【課題】所定の抽出条件に基づいて、ネットワークの性能改善には効果がない性能測定データを除外して性能測定データを抽出し、オペレータにその抽出結果を提示できるネットワーク監視システムを提供する。【解決手段】ネットワークを構成する各装置の性能測定データと、該性能測定データを抽出する際に除外すべき装置の状態との対応を示す所定の抽出条件を提示する抽出条件提示手段と、抽出条件提示手段に示される抽出条件に基づき、除外すべき装置の状態のときに測定された性能測定データを除外して、ネットワークの性能改善に有効な性能測定データを抽出する性能測定データ抽出手段とを備える。【選択図】      図６
2006033315.tif 000002
【特許請求の範囲】
【請求項１】
ネットワークを構成する各装置の性能測定データと、該性能測定データを抽出する際に除外すべき装置の状態との対応を示す所定の抽出条件を提示する抽出条件提示手段と、
前記抽出条件提示手段に示される抽出条件に基づき、除外すべき装置の状態のときに測定された性能測定データを除外して、ネットワークの性能改善に有効な性能測定データを抽出する性能測定データ抽出手段とを備え、
ネットワークを監視するオペレータに、ネットワークの性能改善に有効な性能測定データを提供することを特徴とするネットワーク監視システム。
【請求項２】
ネットワークを監視するオペレータの監視端末と、前記ネットワークに接続されたネットワーク監視装置とを備え、前記ネットワークを構成する各装置から送信される性能測定データおよび状態通知データに基づいて、前記ネットワークの性能を監視するネットワーク監視システムであって、
前記ネットワーク監視装置が、
前記ネットワークを構成する各装置との通信、および前記オペレータの監視端末との通信を可能にするデータ通信処理手段と、
前記データ通信処理手段を介して受信した各装置の性能測定データを格納する性能測定データベースと、
前記データ通信処理手段を介して受信した各装置の状態通知データを格納する状態通知データベースと、
所定の抽出条件を示すテーブルと
前記状態通知データベースを参照して、前記性能測定データベースから前記テーブルに示される所定の抽出条件に基づき性能測定データを抽出し、かつ抽出された性能測定データの集計処理を行い、抽出された性能測定データおよび集計処理データを、前記データ通信処理手段を介して前記監視端末に送信する、抽出および集計処理手段とを備え、
前記所定の抽出条件が、前記性能測定データと抽出の際に除外すべき装置の状態との対応を示すことを特徴とするネットワーク監視システム。
【請求項３】
前記所定の抽出条件が、前記監視端末に提示され、かつオペレータにより設定または変更可能であり、オペレータによって設定または変更された抽出条件が、前記監視端末から前記データ通信処理手段を介して前記ネットワーク監視装置に送信され、前記テーブルに格納されることを特徴とする、請求項２に記載のネットワーク監視システム。
【請求項４】
前記集計処理が、抽出された性能測定データの時間変化を含み、前記データ通信処理手段が、前記性能測定データの時間変化および対応する装置の状態を前記監視装置に送信し、前記監視装置が、送信された前記性能測定データの時間変化および対応する装置の状態を、オペレータに提示することを特徴とする、請求項２に記載のネットワーク監視システム。
【請求項５】
前記集計処理が、さらに、前記抽出された性能測定データの合計、平均、最大値、および最小値のうちの少なくとも１つを含む集計データを含み、前記データ通信処理手段が、性能測定データの時間変化および対応する装置の状態に加えて前記集計データを前記監視装置に送信し、前記監視装置が、送信された性能測定データの時間変化、対応する装置の状態、および集計データを、オペレータに提示することを特徴とする、請求項４に記載のネットワーク監視システム。
【発明の詳細な説明】
【技術分野】
【０００１】
本発明は、ネットワークを構成する各装置から送信される性能測定データおよび状態通知データに基づいて、ネットワークを監視するネットワーク監視システムに関し、より詳細には、ネットワークの性能改善には効果がない性能測定データを除外して、各装置から送信された性能測定データを抽出することを可能にするネットワーク監視システムに関する。
【背景技術】
【０００２】
従来のネットワーク監視システムは、ネットワークを構成する各装置から常時送信される膨大な量の性能測定データおよび状態通知データを受信していた。ネットワークを監視するオペレータは、ネットワーク監視システムが受信した性能測定データおよび状態通知データに基づいて、各装置の装置パラメータの変更、または装置処理能力の増設などを行うことによって、ネットワークの性能を改善していた。
【０００３】
しかしながら、ネットワーク監視システムにより受信された性能測定データの中には、ネットワークの性能改善に有効でないデータも含まれていた。例えば、装置故障や装置をつなぐ伝送路障害に起因するネットワークの性能劣化時に測定された性能測定データなどである。このような場合には、装置の装置パラメータの変更、または装置処理能力の増設などでは、ネットワークの性能改善は達成されない。そのため、オペレータは、ネットワークの性能改善に有効でない性能測定データを除外する必要があった。
【０００４】
従来のネットワーク監視システムでは、各装置の性能測定データと各装置の状態通知データとは、別々にまとめられていた。そのため、オペレータは、そのオペレータが持つノウハウに従って各装置の状態通知データの履歴を参照することによって、各装置の性能測定データが測定された時点が、装置異常またはネットワーク異常が発生した期間内であるか否かを調べていた。オペレータは、ネットワークの性能改善に有効ではない性能測定データを除外することによって、受信した性能測定データを絞り込んでいた。このような性能測定データの絞り込み作業は、多くの工程が必要であり、そのため多くの労力を必要とするものであった。
【０００５】
オペレータは、このような性能測定データの絞り込みの後、絞り込まれた性能測定データに基づいて分析を行って、ネットワークを構成する各装置のパラメータをその時点での最適値に設定する、ネットワークの構成を変更する、または装置処理能力を増設するなどを行って、ネットワークの性能を最適に保っていた。
【特許文献１】特表２００１−５１９６１９号公報
【特許文献２】特開平１１−２６１４７１号公報
【発明の開示】
【発明が解決しようとする課題】
【０００６】
本発明は、従来のようにネットワークを監視するオペレータ自身が、装置状態を参照しながら抽出対象から除外すべき性能測定データを決定する作業を必要とすることなく、ネットワーク監視システムが、所定の抽出条件に基づいて、ネットワークの性能改善には効果がない性能測定データを除外して性能測定データを抽出して、オペレータにその抽出結果を提示できるネットワーク監視システムを提供することを目的にする。
【課題を解決するための手段】
【０００７】
請求項１に係る発明によれば、ネットワークを構成する各装置の性能測定データと、該性能測定データを抽出する際に除外すべき装置の状態との対応を示す所定の抽出条件を提示する抽出条件提示手段と、
抽出条件提示手段に示される抽出条件に基づき、除外すべき装置の状態のときに測定された性能測定データを除外して、ネットワークの性能改善に有効な性能測定データを抽出する性能測定データ抽出手段とを備え、
ネットワークを監視するオペレータに、ネットワークの性能改善に有効な性能測定データを提供することを特徴とする。
【０００８】
このような構成を備えることによって、オペレータ自身が、装置状態を参照しながら抽出対象から除外すべき性能測定データを決定する作業は必要とせず、オペレータは、ネットワークの性能改善に有効な性能測定データを提示されることができる。
【０００９】
請求項２に係る発明によれば、ネットワークを監視するオペレータの監視端末と、ネットワークに接続されたネットワーク監視装置とを備え、ネットワークを構成する各装置から送信される性能測定データおよび状態通知データに基づいて、ネットワークの性能を監視するネットワーク監視システムであって、
ネットワーク監視装置が、
ネットワークを構成する各装置との通信、およびオペレータの監視端末との通信を可能にするデータ通信処理手段と、
データ通信処理手段を介して受信した各装置の性能測定データを格納する性能測定データベースと、
データ通信処理手段を介して受信した各装置の状態通知データを格納する状態通知データベースと、
所定の抽出条件を示すテーブルと
状態通知データベースを参照して、性能測定データベースからテーブルに示される所定の抽出条件に基づき性能測定データを抽出し、かつ抽出された性能測定データの集計処理を行い、抽出された性能測定データおよび集計処理データを、データ通信処理手段を介して監視端末に送信する、抽出および集計処理手段とを備え、
所定の抽出条件が、性能測定データと抽出の際に除外すべき装置の状態との対応を示すことを特徴とする。
【００１０】
このような構成を備えることによって、テーブルに示される、性能測定データの抽出の際に除外すべき装置の状態を示す所定の抽出条件に基づいて、抽出および集計処理手段が、性能測定データベースから性能測定データを抽出するので、オペレータ自身が、装置状態を参照しながら抽出対象から除外すべき性能測定データを決定する作業は必要とせず、迅速にかつ簡単に性能測定データの抽出を行うことができる。
【００１１】
請求項３に係る発明によれば、所定の抽出条件が、監視端末に提示され、かつオペレータにより設定または変更可能であり、オペレータによって設定または変更された抽出条件が、監視端末からデータ通信処理手段を介してネットワーク監視装置に送信され、テーブルに格納されることを特徴とする。
【００１２】
このような構成を備えることによって、オペレータは、監視端末に提示される抽出条件を自由に設定または変更できるので、ネットワークの性能改善により有効な性能測定データの抽出条件を、容易に設定または変更することができる。
【００１３】
請求項４に係る発明によれば、集計処理が、抽出された性能測定データの時間変化を含み、データ通信処理手段が、性能測定データの時間変化および対応する装置の状態を監視装置に送信し、監視装置が、送信された性能測定データの時間変化および対応する装置の状態を、オペレータに提示することを特徴とする。
【００１４】
このような構成を備えることによって、オペレータには、性能測定データの時間変化および対応する装置の状態が提示されるので、オペレータは、装置の時間にわたる状態の変化とそのときの性能測定データとの関係を、容易に認識することができ、精度の高い性能測定データの分析を行うことができる。
【００１５】
請求項５に係る発明によれば、集計処理が、さらに、抽出された性能測定データの合計、平均、最大値、および最小値のうちの少なくとも１つを含む集計データを含み、データ通信処理手段が、性能測定データの時間変化および対応する装置の状態に加えて集計データを監視装置に送信し、監視装置が、送信された性能測定データの時間変化、対応する装置の状態、および集計データを、オペレータに提示することを特徴とする。
【００１６】
このような構成を備えることによって、オペレータには、性能測定データの時間変化および対応する装置の状態に加えて、抽出された性能測定データの合計、平均、最大値、および最小値のうちの少なくとも１つを含む集計データが提示され、オペレータは、さらに集計データも参照しながらより精度の高い性能測定データの分析を行うことができる。
【発明を実施するための最良の形態】
【００１７】
図１に、本発明のネットワーク監視システムと、このネットワーク監視システムが監視するネットワークの概略構成とを示す。
【００１８】
ネットワーク監視システムは、ネットワーク監視装置１０と、ネットワークを監視するオペレータの監視端末２０−１、２０−２、および２０−３とを備える。
【００１９】
このネットワーク監視システムが監視するネットワークは、ＭＳＣ（Ｍｏｂｉｌｅ  Ｓｗｉｔｃｈｉｎｇ  Ｃｅｎｔｒｅ、移動体スイッチングセンタ）３０と、ＲＮＣ（Ｒａｄｉｏ  Ｎｅｔｗｏｒｋ  Ｃｏｎｔｒｏｌｌｅｒ、無線ネットワークコントローラ）４０、４１、４２、および４３と、ＮｏｄｅＢ（ノードＢ）５０−１〜３、５１−１〜３、５２−１〜３、および５３−１〜３と、図示されていない移動体無線端末とを含み、音声またはパケットデータなどのデータを、ネットワークに接続される装置間で通信することを可能にする。
【００２０】
図示されていない移動体無線端末は、無線を介して、ＮｏｄｅＢ５０−１〜５３−３のいずれかと通信する。ＮｏｄｅＢ５０−１〜３はＲＮＣ４０に接続され、ＮｏｄｅＢ５１−１〜３はＲＮＣ４１に接続され、ＮｏｄｅＢ５２−１〜３はＲＮＣ４２に接続され、およびＮｏｄｅＢ５３−１〜３はＲＮＣ４３に接続される。各ＲＮＣ４０〜４３は、互いに接続され、ＭＳＣ３０にも接続される。ネットワーク監視装置１０は、ＭＳＣ３０と、監視端末２０−１〜３とに接続される。監視端末２０−１〜３は、オペレータにグラフィックユーザインタフェース（ＧＵＩ）を提供し、ネットワーク監視装置１０から送られるネットワークの性能を監視するための性能測定データおよび関連する装置の状態などを提示し、さらに、性能測定データの抽出条件の設定または変更などのオペレータの入力をネットワーク監視装置１０に送信する。
【００２１】
ネットワーク監視システムは、ＭＳＣ３０と、ＲＮＣ４０〜４３と、ＮｏｄｅＢ５０−１〜５３−３とを監視対象とする。
【００２２】
図２に、ネットワーク監視装置１０および監視端末２０−１〜３の内部構造の一例を示す。
【００２３】
ネットワーク監視装置１０は、データ通信処理部１１、性能測定データベース１２、状態通知データベース１３、抽出条件提示手段であるテーブル１４、性能測定データ抽出手段であるデータ抽出及び集計処理部１５、および作業用内部メモリ領域内の抽出・集計データ格納メモリ部１６とを有する。
【００２４】
監視端末２０−１〜３は、抽出条件設定ＧＵＩ部２１を有する。
【００２５】
データ通信処理部１２は、ＭＳＣ３０を介して監視対象となる各装置（例えば、図１に示されるＭＳＣ３０、ＲＮＣ４０〜４３、およびＮｏｄｅＢ５０−１〜５３−３）から、状態通知データ（状態変更に関するデータ、またはアラーム通知）および性能測定データを受信し、また、監視端末２０−１〜３の抽出条件設定ＧＵＩ部２１からオペレータの入力を受信し、かつ監視端末２０−１〜３の抽出条件設定ＧＵＩ部２１へオペレータに提示すべきデータを送信する。
【００２６】
データ通信処理部１１を介して受信したネットワークを構成する各装置の性能測定データは、性能測定データベース１２に格納され、同様に状態通知データは、状態通知データベース１３に格納される。また、テーブル１４には、性能測定データと抽出の際に除外すべき装置の状態との対応を示す所定の抽出条件が格納される。
【００２７】
データ抽出及び集計処理部１５は、ネットワーク監視装置１０の各構成要素に接続され、状態通知データベース１３に格納された各装置の状態を参照して、テーブル１４に示される所定の抽出条件に基づき、性能測定データベース１２から性能測定データを抽出し、さらに抽出された性能測定データに対して、集計処理（合計、平均、最大値、および最小値の算出または抽出）を行う。
【００２８】
抽出・集計データ格納メモリ部１６は、データ抽出及び集計処理部１５に接続され、抽出された性能測定データと、集計処理されたデータとを格納する。
【００２９】
監視端末２０−１〜３に含まれる抽出条件設定ＧＵＩ部２１は、データ抽出および集計処理部１５に接続され、抽出・集計データ格納メモリ部１６に格納されたデータを、監視端末２０−１〜３のＧＵＩ上に表示してオペレータに提示する。
【００３０】
抽出条件設定ＧＵＩ部２１は、オペレータの操作によって、抽出条件が設定または変更された場合には、設定または変更された抽出条件を、ネットワーク監視装置１０のデータ通信処理部１１に送信する。設定または変更された抽出条件は、テーブル１４に格納される。データ抽出及び集計処理部１５は、テーブル１４に格納された、設定または変更された抽出条件に基づいて、性能測定データの抽出と、抽出された性能測定データの集計処理とを行い、得られたデータを再び抽出・集計データ格納メモリ部１６に格納する。
【００３１】
これらの抽出・集計データ格納メモリ部１６に格納されたデータは、再び監視端末２０−１〜３の抽出条件設定ＧＵＩ部２１上でオペレータに提示される。
【００３２】
次に、性能測定データベース１２および状態通知データベース１３に格納されるデータと、テーブル１４に格納される所定の抽出条件とに関して、図３から図５を参照して以下に詳細に説明する。
【００３３】
図３は、状態通知データベース１３に格納される、監視対象の装置からの状態通知データの一例を示す。図３に示される例では、状態通知データには、装置名、装置ＩＤ、機能ボード名、位置、状態名、発生・復旧、および時刻が含まれる。
【００３４】
図３に示される状態通知データは、以下の状態を表している。
【００３５】
装置ＩＤが０００００１であるＮｏｄｅＢの位置１にある機能ボードＢＢ（Ｂａｓｅ  Ｂａｎｄ）が、２００３年１２月６日の２１時００分３０秒にロック状態（当該ボードの動作が停止した状態）が発生し、２００３年１２月６日の２１時０５分００秒にそのロック状態が解除された。
【００３６】
装置ＩＤが０００００１であるＮｏｄｅＢの位置２にある機能ボードＥ１（ＰＤＨ回線種別のＥ１）が、２００３年１２月６日の２０時３０分００秒に作動状態がオフ（正常な動作をしない）になり、２００３年１２月６日の２０時４０分００秒にその作動状態がオン（正常な動作をする）になった。
【００３７】
装置ＩＤが００１００１であるＲＮＣの位置１−０にある機能ボードＳＴＭ−１（ＳＤＨ回線種別のＳＴＭ−１）が、２００３年１２月６日の２１時００分００秒にＬＯＳ状態（ロストオブシグナル状態、回線からの信号が来なくなる状態）になり、２００３年１２月６日の２１時０５分００秒にＬＯＳ状態は回避された。
【００３８】
装置ＩＤが００１００１であるＲＮＣの位置１−１にある機能ボードＳＴＭ−１が、２００３年１２月６日の２２時４０分００秒にＬＯＦ状態（ロストオブフレーム状態）になり、２００３年１２月６日の２２時５０分００秒にそのＬＯＦ状態は回避された。
【００３９】
装置ＩＤが００１００１であるＲＮＣの位置１−１にある機能ボードＳＴＭ−１が、２００３年１２月６日の２３時１０分００秒にＶＰ−ＡＩＳ状態（Ｖｉｒｔｕａｌ  Ｐａｔｈ  Ａｌａｒｍ  Ｉｎｄｉｃａｔｉｏｎ  Ｓｉｇｎａｌ状態、ＶＰ−ＡＩＳセルを受信できない状態）になり、２００３年１２月６日の２３時１５分００秒にそのＶＰ−ＡＩＳ状態は回避された。
【００４０】
装置ＩＤが００１００１であるＲＮＣの位置１−１にある機能ボードＳＴＭ−１が、２００３年１２月６日の２３時２０分００秒にＡＬＣＡＰ  ＣＬＯＳＩＮＧ状態（シグナリングのＡＬＣＡＰのリンクが切れた状態）になり、２００３年１２月６日の２３時２３分００秒にそのＡＬＣＡＰ  ＣＬＯＳＩＮＧ状態は回避された。
【００４１】
装置ＩＤが００１００１であるＲＮＣの位置１−１にある機能ボードＳＴＭ−１が、２００３年１２月７日の７時４５分００秒にＬＯＳ状態になり、２００３年１２月７日の８時１０分００秒にＬＯＳ状態は回避された。
【００４２】
また図４は、性能測定データベース１２に格納される、監視対象の装置からの性能測定データの一例を示す。図４に示される例では、性能測定データには、装置ＩＤ、測定データ名、測定機能ボード名、測定位置、測定データ値、および時刻が含まれる。
【００４３】
図４に示される性能測定データの内容と、図３に示される装置の状態との対応について以下に説明する。
【００４４】
装置ＩＤが０００００１である装置の測定機能ボード名Ｅ１の測定位置２におけるＢＥＲ（ビットエラーレート）は、２００３年１２月０６日の２０時４５分００秒に、１０−７であった。この性能測定データは、図３に示される装置の状態で測定されたものではない。
【００４５】
装置ＩＤが００１００１である装置の測定機能ボード名ＳＴＭ−１の測定位置１−０における呼損率は、２００３年１２月０６日の２１時０１分００秒に、９０％であった。この性能測定データは、図３に示されるＲＮＣのＬＯＳ状態で測定されたものである。
【００４６】
装置ＩＤが００１００１である装置の測定機能ボード名ＳＴＭ−１の測定位置１−０におけるデータ送信負荷率は、２００３年１２月０６日の２１時０２分００秒に、０％であった。この性能測定データは、図３に示されるＲＮＣのＬＯＳ状態で測定されたものである。
【００４７】
装置ＩＤが００１００２である装置の測定機能ボード名ＳＴＭ−１の測定位置１−０における呼損率は、２００３年１２月０６日の２２時００分００秒に、１％であった。この性能測定データは、図３に示される装置の状態で測定されたものではない。
【００４８】
装置ＩＤが００１００１である装置の測定機能ボード名ＳＴＭ−１の測定位置１−１における呼損率は、２００３年１２月０６日の２２時４１分００秒に、１００％であった。この性能測定データは、図３に示されるＲＮＣがＬＯＦ状態で測定されたものである。
【００４９】
装置ＩＤが００１００１である装置の測定機能ボード名ＳＴＭ−１の測定位置１−１における呼損率は、２００３年１２月０６日の２２時４２分００秒に、１００％であった。この性能測定データは、図３に示されるＲＮＣがＬＯＦ状態で測定されたものである。
【００５０】
装置ＩＤが００１００１である装置の測定機能ボード名ＳＴＭ−１の測定位置１−１における呼損率は、２００３年１２月０６日の２２時４３分００秒に、１００％であった。この性能測定データは、図３に示されるＲＮＣがＬＯＦ状態で測定されたものである。
【００５１】
装置ＩＤが００１００１である装置の測定機能ボード名ＳＴＭ−１の測定位置１−１における呼損率は、２００３年１２月０６日の２２時４４分００秒に、１００％であった。この性能測定データは、図３に示されるＲＮＣがＬＯＦ状態で測定されたものである。
【００５２】
装置ＩＤが００１００１である装置の測定機能ボード名ＳＴＭ−１の測定位置１−１における呼損率は、２００３年１２月０６日の２２時４５分００秒に、１００％であった。この性能測定データは、図３に示されるＲＮＣがＬＯＦ状態で測定されたものである。
【００５３】
装置ＩＤが００１００１である装置の測定機能ボード名ＳＴＭ−１の測定位置１−１における呼損率は、２００３年１２月０６日の２３時１１分００秒に、１００％であった。この性能測定データは、図３に示されるＲＮＣがＶＰ−ＡＩＳ状態で測定されたものである。
【００５４】
装置ＩＤが００１００１である装置の測定機能ボード名ＳＴＭ−１の測定位置１−１における呼損率は、２００３年１２月０６日の２３時２２分００秒に、１００％であった。この性能測定データは、図３に示されるＲＮＣがＡＬＣＡＰ  ＣＬＯＳＩＮＧ状態で測定されたものである。
【００５５】
装置ＩＤが００１００１である装置の測定機能ボード名ＳＴＭ−１の測定位置１−１におけるチャネル負荷率は、２００３年１２月０７日の８時０５分００秒に、０％であった。この性能測定データは、図３に示されるＲＮＣがＬＯＳ状態で測定されたものである。
【００５６】
図５に、テーブル１４に格納される、所定の抽出条件、すなわち性能測定データと抽出の際に除外すべき装置の状態との対応の一例を示す。
【００５７】
図５に示される例では、装置が、ＬＯＳ状態、ＬＯＦ状態、ＶＰ−ＡＩＳ状態、またはＡＬＣＡＰ  ＣＬＯＳＩＮＧ状態であるときに測定された呼損率、および、装置が、ＬＯＳ状態であるときに測定されたチャネル負荷率は除外すべきであることが示されている。
【００５８】
図４に示される性能測定データの中では、上から２番目の呼損率、および上から５番目から１１番目の呼損率と、上から１２番目のチャネル負荷率とが、図５に示される除外すべき装置の状態のときに測定された性能測定データに対応する。そのため、例えば呼損率に関する性能測定データを抽出する際には、テーブル１４に格納されているこれらの装置状態での性能測定データを除外して抽出することになる。
【００５９】
図６に、所定の抽出条件に基づいて性能測定データを抽出する処理のフロー図を示す。
【００６０】
ステップＳ１で、オペレータが監視端末２０−１〜３を操作することによって、ネットワーク監視システムは、性能測定データを抽出する処理を開始する。
【００６１】
ステップＳ２で、ネットワーク監視装置１０は、性能測定データベース１２の各項目の属性を定義した情報テーブルである性能測定データベーススキーマから、性能測定データベース１２に格納されているデータのリストを取り出し、データ通信処理部１１を介して監視端末２０−１〜３に送信する。監視端末２０−１〜３は、送信された性能測定データベース１２に格納されているデータのリストをオペレータに提示し、オペレータの操作によって、抽出すべき性能測定データを選択する、または、テーブル１４に示されている抽出条件を変更する。
【００６２】
ステップＳ３で、ネットワーク監視装置１０は、指定された性能測定データを、性能測定データベース１２から取り出す。
【００６３】
ステップＳ４で、ネットワーク監視装置１０は、ステップＳ３で取り出された性能測定データに対して、テーブル１４を参照して、除外すべき装置状態が発生しているときに測定された性能測定データを除外する。
【００６４】
ステップＳ５で、ネットワーク監視装置１０は、ステップＳ４で出された性能測定データに対して、合計、平均、最大値抽出、および最小値抽出などの集計処理を行う。
【００６５】
ステップＳ６で、ネットワーク監視１０は、抽出された性能測定データと、対応する装置状態と、ステップＳ５で得られた集計値とを、データ通信処理部１１を介して監視端末２０−１〜３に送信する。監視端末２０−１〜３は、送信されたこれらのデータをオペレータに提示する。
【００６６】
ステップＳ７で、オペレータは、性能測定データの抽出処理を継続するか終了するかを決定する。
【００６７】
処理を継続する場合には、ステップＳ２に戻り、性能測定データを選択するか、または抽出条件を変更する。処理を終了する場合には、ステップＳ８へ進み処理は終了する。
【００６８】
図７に、監視端末２０−１〜３の抽出条件設定ＧＵＩ部２１に表示される性能測定データおよび関連するデータなどの画面の表示例を示し、図８に、抽出条件を変更した場合の三次元グラフを示す。
【００６９】
図７に示される画面例には、性能測定データのリスト７１と、除外すべき装置状態のリスト７２と、複数の抽出された性能測定データの時間変化を示す三次元グラフ７３と、抽出された性能測定データの集計値を表示する集計値表示部７４とが示される。
【００７０】
性能測定データのリスト７１には、例えば、呼損率、チャネル負荷率、およびビットエラーレート（ＢＥＲ）などが含まれる。オペレータは、抽出すべき性能測定データを、このリスト７１から選択する。
【００７１】
除外すべき装置状態のリスト７２には、例えば、ロック状態（動作が停止した状態）、ＡＣＴオフ状態（正常など動作をしない状態）、ＬＯＳ状態（ロストオブシグナル状態）、ＬＯＦ状態（ロストオブフレーム状態）、ＶＰ−ＡＩＳ状態（ＶＰ−ＡＩＳセルを受信できない状態）、ＡＬＣＡＰ  ＣＬＯＳＩＮＧ状態（シグナリングのＡＬＣＡＰのリンクが切れた状態）などが含まれる。図７に示される画面例では、除外すべき装置状態のリスト７２の横には、選択した装置状態を追加するための「ＡＤＤ」ボタン７２−１と、選択した装置状態を削除するための「ＤＥＬＥＴＥ」ボタン７２−２と、これらの「ＡＤＤ」ボタン７２−１および「ＤＥＬＥＴＥ」ボタン７２−２によって変更された抽出条件に基づき、性能測定データの再抽出を開始するための「ＲＥＴＲＩＶＥ」ボタン７２−３とが表示される。オペレータは、これらのボタン７２−１、７２−２、および７２−３を用いて、除外すべき装置状態を設定および変更することができる。
【００７２】
三次元グラフ７３は、性能測定データ（図７に示される画面例では、呼損率、チャネル負荷率、およびＢＥＲ）の測定値の時間変化を示す。図７に示される画面例では、呼損率の測定値の時間変化が示されている。
【００７３】
図７に示される呼損率は、その両端部以外では非常に大きな値を有している。この大きな値の呼損率が、除外すべき装置状態（例えばＬＯＦ状態）のときに測定された値であるとする。除外すべき装置状態のリスト７２で、ＬＯＦ状態が設定され、このＬＯＦ状態のときに測定された呼損率が除外された結果を、図８に示す。図８において、点線で描かれている部分が、除外された部分に対応し、この例では内挿によって表示されている。
【００７４】
図７の集計値表示部７４には、抽出された性能測定データの合計値（７４−１）、平均値（７４−２）、最大値（７４−３）、および最小値（７４−４）が表示される。この三次元グラフ７３に連動して表示される集計値７４を参照して、除外すべき装置状態の設定変更によって表示される三次元グラフ７３を見ることによって、オペレータは、除外すべき装置状態の設定が抽出された性能測定データに及ぼす効果を知ることができる。
【００７５】
オペレータは、監視端末２０−１〜３により、抽出条件を自由に設定および変更して、その抽出条件で抽出された性能測定データを見ることができる。オペレータは、この性能測定データに基づいて分析を行って、ネットワークの性能を最適に保つことができる。
【００７６】
以上のように、本発明のネットワーク監視システムによって、従来のようにネットワークを監視するオペレータ自身が装置状態を参照しながら除外すべき性能測定データを決定する作業を必要とすることなく、所定の抽出条件に基づいて、ネットワークの性能改善には効果がない性能測定データを除外して性能測定データを抽出して、オペレータに対して迅速にかつ簡単にその抽出結果を提示することができる。
【図面の簡単な説明】
【００７７】
【図１】本発明のネットワーク監視システムと、このネットワーク監視システムが監視するネットワークの概略構成とを示す。
【図２】ネットワーク監視装置および監視端末の内部構造の一例を示す。
【図３】状態通知データの一例を示す。
【図４】性能測定データの一例を示す。
【図５】テーブルの一例を示す。
【図６】性能測定データを抽出する処理のフロー図を示す。
【図７】性能測定データおよび関連するデータの画面表示例を示す。
【図８】除外すべき装置状態の設定を変更した場合の三次元グラフを示す。
【符号の説明】
【００７８】
１０  ネットワーク監視装置
１１  データ通信処理部
１２  性能測定データベース
１３  状態通知データベース
１４  テーブル
１５  データ抽出および集計処理部
１６  抽出・集計データ格納メモリ部
２０−１、２０−２、２０−３  監視端末
２１  抽出条件設定ＧＵＩ部
３０  移動体スイッチングセンタ
４０、４１、４２、４３  無線ネットワークコントローラ
５０−１、５０−２、５０−３、５１−１、５１−２、５１−３、５２−１、５２−２、５２−３、５３−１、５３−２、５３−３  ノードＢ
７１  性能測定データリスト
７２  除外すべき装置状態リスト
７３  三次元グラフ
７４  集計値表示部
【図１】
2006033315.tif 000003
【図２】
2006033315.tif 000004
【図３】
2006033315.tif 000005
【図４】
2006033315.tif 000006
【図５】
2006033315.tif 000007
【図６】
2006033315.tif 000008
【図７】
2006033315.tif 000009
【図８】
2006033315.tif 000010